(57)【要約】【課題】  注出口を、口部及び鼻部に対応して、飲料水を舌で味わうだけでなく鼻で嗅ぐことができるようにした飲料容器を提供する。【解決手段】  蓋体の傾斜した蓋本体の最下位置に、蓋体の周壁の内側下部から蓋体の中心を超える箇所に、口部と鼻部とが入る広範囲な注出口を設け、その注出口に開閉する蓋片を屈曲しない一体構造にして、その一端を自在継手で上下方向、周方向に回動自在に取り付け、他端を前記周壁に係止したことを特徴とする飲料容器。【選択図】  図１
2011073790.tif 000002
【特許請求の範囲】
【請求項１】
飲料を入れる下部が有底で上部開口の容器本体と、該容器本体の上部開口を開閉する周壁を形成した蓋体とからなり、該蓋体にある注出口の大きさを飲料する者の口部と鼻部とに対応するために、前記周壁の内側下部から前記蓋体の中心を超える箇所に渡って形成すると共に、該注出口には開閉する蓋片を屈曲しない一体構造にしたもので、上下方向及び周方向に回動自在にして前記蓋体に設けたことを特徴とする飲料容器。
【請求項２】
回動自在に蓋体に設けた蓋片が、玉継手であり、その玉継手となるボールの周囲にあるソケット又は／及び蓋体を擂鉢状に切り欠くことで、前記蓋片の開放角を大きくした請求項１に記載の飲料容器。
【請求項３】
前記注出口と、それに開閉する蓋片の下部に設けた栓枠が、略扇状の密封部とした請求項１又は２に記載の飲料容器。
【請求項４】
前記蓋片上部には、その表面に補強リブを一体形成した請求項１乃至３のいずれかに記載の飲料容器。
【請求項５】
前記蓋体が、注出口を最下位置にあるようにした傾斜板である請求項１乃至４のいずれかに記載の飲料容器。
【請求項６】
前記容器本体が、薄肉厚の金属製の有底内筒と、前記内筒より厚肉の合成樹脂製の有底外筒との間に空隙を配置したものからなり、これら内筒と外筒と前記蓋体との結合を、内筒状の支承板を介在して結合したものである、請求項１乃至５のいずれかに記載の飲料容器。
【請求項７】
前記支承板を介した合成樹脂製の有底外筒及び金属製の有底内筒に対する前記蓋体との結合が、前記支承板と有底外筒のそれぞれの下部を螺着すると共に、前記有底内筒を支承板に係止し、かつその金属製内筒の上部突出部に前記蓋体の下部を螺着したものである請求項６に記載の飲料容器。
【請求項８】
前記金属製内筒の有底コーナー部に、衝撃防護材を装着した請求項６又は７に記載の飲料容器。
【請求項９】
前記合成樹脂製外筒の底部に、滑り止めを有する底蓋を設置した請求項６乃至８のいずれかに記載の飲料容器。
【発明の詳細な説明】
【技術分野】
【０００１】
本発明は、飲料容器、特に飲料容器の蓋の構造に関する。
【背景技術】
【０００２】
従来、飲料容器として、フタ材１４を備えたコップ本体１２としての密封容器１６と、この密封容器１６上に配置されたキャップ１８とを備え、該キャップ１８が前記フタ材を破り、飲料を飲むようにしたものがある（特許文献１）。
【０００３】
また、別に内側１１と外側容器１２の複合式容器であって、その内側容器１１の円弧状凹部１７を外側容器１２と嵌合し、蓋体２０のつまみ２６を引っ張って、切断誘導部２５のところで蓋片２８を開封して注出口３０から飲料を飲むように構成したものもある（特許文献２）。
【０００４】
さらに、内外２層容器２，３からなる容器体１には、その上部に、上部周壁５を設けた頂壁１０にその軸孔１２の回動軸２１でフック２２を有する蓋板２０を回動自在にして蓋をすると共に、蓋板２０に設けた栓蓋２３のヒンジ２４を上下方向に回動させて、前記頂壁１０に設けた空気置換孔１３と飲み口部１１を開閉して飲料水を飲むようにした飲料容器が開示されている（特許文献３）。
【０００５】
上記特許文献１は、コップ本体１２にフタ材１４を設けて密封容器１６としているので、殺菌洗浄処理され、飲む直前まで、飲料をこぼしたりすることなく、衛生上好ましい状態にして飲料を飲むことができるというものである。また、特許文献２では、内側１１と外側容器１２の間に空間を形成して、生ビールや清涼飲料等の冷たい飲料を長時間にわたって維持できるようにしたものである。
しかし、これら特許文献１と２は、飲料水の殺菌をしてその増殖をなくしたり、温度の急上昇を抑えるものであり、飲料容器の蓋体そのものを改良したものではない。
【０００６】
一方、特許文献３は、蓋板２０を改良したものであり、その飲み口部１１と空気置換孔１３を同様に閉塞し、蓋板２０を周壁５から同時に離脱させて上方へ回動させると共に、周方向に回動させて空気置換部１３から空気を導入することで、容易に飲料を飲み口部から飲み込むことができるようにしたものである。
【０００７】
しかしながら、この特許文献３では、飲み口部１１が飲料水を飲む、特に、空気置換部１３が容器体内を負圧になるのを防止して外気を導入するためのものであり、したがって飲料水、特にコーヒーや紅茶などでは舌で味わうだけのもので、鼻から匂いを嗅ぐことに対して構造上の考慮がされていない。
また、特許文献３の蓋板２０は、薄肉のヒンジ２４により蓋板２０を上下及び回動させるために、その部分での耐久性が悪いという欠点がある。
【先行技術文献】
【特許文献】
【０００８】
【特許文献１】特開２００５−１８７０８２号公報
【特許文献２】特開２００６−１５１５００号公報
【特許文献３】特開２００９−１６１２０１号公報
【発明の概要】
【発明が解決しようとする課題】
【０００９】
本発明は、上記欠点を解消するものであり、コーヒーや紅茶の本来の喫飲が、舌で味わうだけでなく、香りを吸うことにより、五感のうち舌と鼻を使った満足感が与えられる飲料容器を提供せんとする。また、通常は飲料を密封しておき、蓋体の度重なる開閉操作に対する耐久性を向上した飲料容器を改良したものである。
【課題を解決するための手段】
【００１０】
本発明は、前記課題を解決したものであり、その要旨は飲料を入れる下部が有底で上部開口の容器本体と、該容器本体の上部開口を開閉する周壁を形成した蓋体とからなり、該蓋体にある注出口の大きさを飲料する者の口部と鼻部とに対応するために、前記周壁の内側下部から前記蓋体の中心を超える箇所に渡って形成すると共に、該注出口には開閉する蓋片を屈曲しない一体構造にしたもので、上下方向及び周方向に回動自在にして前記蓋体に設けたことを特徴とする飲料容器飲料にある。
ここで、前記容器本体は、ステンレス製等であって耐蝕性、耐薬品性を有する薄肉の内側金属製板と、透明で耐衝撃性を有するＡＳ樹脂からなる外側樹脂板とからなる。また、蓋体に固定して上下及び周方向に回動可能にした蓋片は、加工性が良く、耐衝撃性に優れたＡＢＳ樹脂を用いる。
【００１１】
前記蓋体に設けた蓋片を回動自在にするのに、玉継手を用い、しかもその玉継手となるソケット及び又はソケット周囲の蓋体を擂鉢状に切り欠くことにより、前記蓋片の玉継手からの開放角を大きくして、飲料を舌と鼻でより十分喫することができるようにしている。
【００１２】
前記注出口が蓋体を略扇状に切り欠いたもので、その注出口を密封するために、開閉する蓋片の下側周縁には、前記略扇状の注出口内側に合致して突出した栓枠を設けている。
【００１３】
また、蓋片の上部には、強度を増すための、補強リブが蓋片と一体に設けられている。
【００１４】
さらに、前記蓋体は、前記注出口を最下位置にしている傾斜板であって、前記蓋片を直線状の一体機構にし、蓋体に自在継手で上下及び回動可能に結合したものである。
【００１５】
さらにまた、前記容器本体は、内側にステンレス鋼などの薄肉厚の内側金属製板として内部の冷温又は高温飲料の熱伝導を良好にし、その外側には中空の空隙を介在して、厚肉で断熱性を有するＡＳ樹脂などからなる外側樹脂製板を配置する二重構造からなり、これら内外の金属製板と樹脂製板蓋体とを支承板を介して結合する。
【００１６】
そして、前記外側樹脂製板と内側金属板に対する、前記蓋体との結合が、その下部を支承板と外側樹脂製板の雄螺子と雌螺子を螺着すると共に、上部には前記内側金属板の上部を前記支承板に係止し、かつ内側金属製板の上部突出部を蓋体の雄螺子に螺着する。
【００１７】
そしてまた、前記薄肉厚の内側金属製板の有底コーナー部には、ゴム製の衝撃防護材を巻装して同箇所を保護している。
【００１８】
さらに、前記外側樹脂の底部には、滑り止めを有する底蓋を設置して、飲料容器の下部を保護する。
【発明の効果】
【００１９】
本発明である飲料容器は、蓋体にある飲料の注出口を飲料する者の口部と鼻部とが対応する大きさにするために、蓋体にある注出口を蓋体の最下部に設けた周壁の内側下部から蓋体の中心軸を超える箇所に渡る大きさにしたので、飲料を飲む際に、上記口部と鼻部が注出口に対応して位置しているので舌での味わいの他に、調香の要領でコーヒーや紅茶等の香りを嗅ぐことができる。
また、その注出口は、屈曲しない一体構造の蓋片で開閉でき、その蓋片を上下方向と周方向に回動可能にして前記したように口だけではなく鼻をも注出口に対応して位置させることを容易にした。
【図面の簡単な説明】
【００２０】
【図１】本発明の実施例の一つである飲料容器の縦断面図である。
【図２】図１の斜視図である。
【図３】図２の蓋片を上方に開いた説明図である。
【図４】図１の分解図である。
【図５】上記図1乃至図４の飲料容器とは別の実施例としての縦断面図である。
【図６】図５の斜視図である。
【図７】図５、図６にある玉継手付きの蓋片の斜視図である。
【図８】図７の蓋片を開閉するために、蓋体に設けた注出口の周囲に固定したシール材の斜視図である。
【図９】図５、図６の平面図である。
【図１０】図９の縦断面図である。
【図１１】図５の分解図である。
【発明を実施するための形態】
【００２１】
本発明は飲料容器の注出口を口部と鼻部と対応するために、蓋体の周壁内側下部から中心軸を超える箇所に渡って注出口を形成し、その注出口を開閉する蓋片を前記注出口に対応する大きさにすると同時に、口部、特に鼻部の邪魔にならないように蓋片の一体構造を上下方向及び周方向に回動自在にした。また、本発明では前記蓋片の前記注出口との開放角度を大きくし、その蓋片の強度を補強するようにした。
【実施例】
【００２２】
実施例１
図１乃至図４において、飲料容器１００は容器本体１０１と、その上部開口を開閉する周壁１０２を形成した蓋体１０３とからなる。
【００２３】
ＡＢＳ樹脂製の蓋体１０３には、周壁１０２内側の最下位置に水の飲み口としての注出口１０４を開口した傾斜板としての蓋本体１０５が存在し、その注出口１０４の大きさは、周壁１０２の内側下部から蓋体１０３の中心を超える大きさで、より具体的には蓋体１０３の中心を超えた位置を扇の要めとして前記周壁１０２の内側下部に渡る扇状の開口が、人の口部だけでなく鼻部にまで対応する大きさとしている。
また、蓋体１０３には、前記扇状の開口中心側の一端に自在継手の一種である上下半球を接合又は接着したボール１０６’と、そのボールを下半分以上埋設したソケット１０６”を結合した玉継手１０６を有し、他端の扇状の弧側には前記注出口１０４の外周にある周壁１０２を掴むフック１０７を備えた屈曲しない一体構造のＡＢＳ樹脂製の蓋片１０８を設けており、その蓋片１０８は前記玉継手１０６を中心に、蓋本体１０５に対して、上下方向と周方向に回動自在とし、前記注出口１０４に開閉できるようにしている。
そして、蓋片１０８の前記玉継手１０６とフック１０７間の下部に、前記した注出口１０４である扇状の開口周辺を閉塞する栓枠１０９を一体に形成している。
【００２４】
蓋体１０３の下部にある裾部外側には、雌ネジ１１２が設けられ、これには、有底で上部開口を有する金属製内筒である１ｍ／ｍ厚のステンレス筒１１１の上部突出部１１３が螺着している。
また、前記ステンレス筒１１１の上端部は、ＡＢＳ樹脂からなる筒状の支承板１１４を上から被覆するように係止している。
【００２５】
前記支承板１１４の下部内側には雄ネジ１１４−１を設けて、有底で上部開口を有する５ｍ／ｍ厚のＡＳ樹脂製の外筒１１５に設けた雌ネジ１１５−１に、前記ステンレス筒１１１との間に約５ｍ／ｍの空隙１１０を置いて、それぞれをシール材１１４−２を介して螺着している。
【００２６】
そして、ステンレス内筒１１１の底部のコーナーには、ゴム製の衝撃防護材１１６を装置して、内筒１１１の出し入れの際の衝撃による損傷を防止している。
また、ＡＳ樹脂製の外筒１１５の底部には、ポリエチレン製の底蓋１１７が、シール材１１５−３を介して、それぞれの凹部１１５−２と凸部１１７−１で嵌合している。また、その底蓋１１７の下面に凹所を設けて、布製の滑り止め１１７−２を設けている。
【００２７】
実施例２
図５乃至図１１における、容器本体１０１−１と、その上部開口を開閉する同壁１０２−１を形成した蓋体１０３−１からなる飲料容器１００−１は、基本的に上記実施例１と同じである。
この実施例２が、実施例１と異なる箇所は、（１）蓋体１０３−１の蓋片１０８−１が蓋本体１０５−１に対して、開放角をより大きく開くようにしたこと、（２）その蓋片１０８−１の表面に扇状の厚肉にした補強リブ１１９を形成したこと、及び（３）外筒１１５−１の肉厚を小さくしたことにある。
【００２８】
そこで、本実施例が実施例１とは、蓋本体１０５−１の傾斜板の最高部から３分の１の所に、ソケット１０６”−１を埋設するように固定しておき、該ソケット１０６”−１には蓋片１０８−１の一方に上下半球を接合又は接着したボール１０６’−１を嵌着して玉継手１０６−１とすることで、前記蓋片１０８−１を上下してフック１０７−１を周壁１０２−１と注出口１０４−１とから着脱可能にし、持ち上げた蓋片１０８−１を回動自在にしている点で共通する。
異なる点は、ソケットのボール１０６’−１の周辺とそれに隣接する蓋本体１０５−１を切り欠いて、擂鉢状に形成することにより、蓋片１０８−１を略１３０度開くことができるようにしたことにある。このことにより、注出口１０４−１を開いて中の飲料水を飲む際に、より十分に口部と鼻部を注出口１０４−１上に置くことができるようにした。また、前記蓋片１０８−１の先部は、窪みの中心にある前記玉継手１０６−１のボール１０６’−１に沿うように前記擂鉢状の中に落ち込んでいる。
また、蓋片１０８−１の表面には、扇形方の外枠のやや内側に凸状の補強リブ１１９が設けられている。
その他、蓋片１０８−１の裏側に栓枠１０９−１を設けていること、蓋体１０３の下部にある裾部外側の雌ネジ１１２−１とステンレス筒１１１−１の突出部１１３−１との螺着、支承板１１４−１と外筒１１５−１とのシール材１１４−３を介して螺着していること、ステンレス筒１１１−１の底部コーナ部にゴム製の防護材１１６−１を設けたこと、外筒１１５−１の底部に布製の滑り止め１１７−３を設けた底蓋１１７−１をシール材１２１を介して前記外筒１１５−１の底部に嵌合している点については、実施例１と同じである。
なお、実施例２の外筒１１５−１の肉厚は、実施例１のそれよりも薄くしているという違いがあるが、これは本飲料容器を日常生活で持ち歩くという点で、強度上問題とならない範囲で軽くしている。
【産業上の利用可能性】
【００２９】
冷却された、あるいは熱くした飲料水の容器、特にその蓋部に利用する。
【符号の説明】
【００３０】
１００，１００−１      飲料容器
１０１，１０１−１      容器本体
１０２，１０２−１      周壁
１０３，１０３−１      蓋体
１０４，１０４−１      注出口
１０５，１０５−１      蓋本体
１０６，１０６−１      自在継手（玉継手）
１０７，１０７−１      フック
１０８，１０８−１      蓋片
１０９，１０９−１      栓枠
１１０，１１０−１      空隙
１１１，１１１−１      金属製内筒
１１４，１１４−１      支承板
１１６，１１６−１      衝撃防護材
１１７，１１７−１      底蓋
【図１】
2011073790.tif 000003
【図２】
2011073790.tif 000004
【図３】
2011073790.tif 000005
【図４】
2011073790.tif 000006
【図５】
2011073790.tif 000007
【図６】
2011073790.tif 000008
【図７】
2011073790.tif 000009
【図８】
2011073790.tif 000010
【図９】
2011073790.tif 000011
【図１０】
2011073790.tif 000012
【図１１】
2011073790.tif 000013